(57)【要約】【解決手段】無線設備制御ノードと無線設備ノードの間の対話型のデータ交換方法であり、前記データはユーザーデータと制御データを含み、前記制御データは制御保守データを含み、無線設備制御ノードはＴＤ−ＳＣＤＭＡサブフレームのアップリンク・タイムスロットにおいて、無線設備ノードへダウンリンク制御保守データを伝送し、無線設備ノードはＴＤ−ＳＣＤＭＡサブフレームのダウンリンク・タイムスロットにおいて、無線設備制御ノードへアップリンク制御保守データを伝送する。
2010539828.tif 000002
【特許請求の範囲】
【請求項１】
ユーザーデータと、制御保守データが含まれる制御データを有する対話型データを無線設備制御ノードと無線設備ノードの間で交換する方法であって、
無線設備制御ノードはＴＤ−ＳＣＤＭＡサブフレームのアップリンク・タイムスロットにおいて、無線設備ノードへダウンリンク制御保守データを伝送し、
無線設備ノードはＴＤ−ＳＣＤＭＡサブフレームのダウンリンク・タイムスロットにおいて、無線設備制御ノードへアップリンク制御保守データを伝送することを特徴とする無線設備制御ノードと無線設備ノードの間の対話型のデータ交換方法。
【請求項２】
前記制御データは、同期データと標識データを更に含み、
無線設備制御ノードはＴＤ−ＳＣＤＭＡサブフレームのダウンリンク・タイムスロットにおいて、無線設備ノードへダウンリンクユーザーデータ、同期データと標識データを伝送し、
無線設備ノードはＴＤ−ＳＣＤＭＡサブフレームのアップリンク・タイムスロットにおいて、無線設備制御ノードへアップリンクユーザーデータ、同期データと標識データを伝送することを特徴とする請求項１記載の無線設備制御ノードと無線設備ノードの間の対話型のデータ交換方法。
【請求項３】
２つのＴＤ−ＳＣＤＭＡサブフレームが１つのＴＤ−ＳＣＤＭＡフレームを構成し、複数のスーパーグループが１つのＴＤ−ＳＣＤＭＡフレームを構成し、複数のグループが１つのスーパーグループを構成することを特徴とする請求項１記載の無線設備制御ノードと無線設備ノードの間の対話型のデータ交換方法。
【請求項４】
２００個のスーパーグループが１つのＴＤ−ＳＣＤＭＡフレームを構成し、６４又は３２個のグループが１つのスーパーグループを構成することを特徴とする請求項３記載の無線設備制御ノードと無線設備ノードの間の対話型のデータ交換方法。
【請求項５】
前記制御データは同期データと標識データを更に含み、
前記無線設備制御ノードと無線設備ノードは、グループにおけるワードの最下位ビットにおいて、同期データと標識データを交換し、前記最下位ビットの総数は設定された閾値を越えないことを特徴とする請求項３記載の無線設備制御ノードと無線設備ノードの間の対話型のデータ交換方法。
【請求項６】
前記無線設備制御ノードと無線設備ノードはグループにおける異なったワードの最下位ビットを順番に選択して同期データと標識データを交換し、
又は、前記無線設備制御ノードと無線設備ノードはグループにおける最下位ワードの最下位ビットにおいて同期データと標識データを交換することを特徴とする請求項５記載の無線設備制御ノードと無線設備ノードの間の対話型のデータ交換方法。
【請求項７】
前記ＴＤ−ＳＣＤＭＡサブフレームのアップリンク・タイムスロットはアップリンク・サービス・タイムスロットとアップリンク・パイロット・タイムスロットを含み、
前記ＴＤ−ＳＣＤＭＡサブフレームのダウンリンク・タイムスロットはダウンリンク・サービス・タイムスロットとダウンリンク・パイロット・タイムスロットを含むことを特徴とする請求項１記載の無線設備制御ノードと無線設備ノードの間の対話型のデータ交換方法。
【請求項８】
ユーザーデータと、制御保守データが含まれる制御データを有する対話型データを無線設備ノードと交換する無線設備制御ノードであって、
ＴＤ−ＳＣＤＭＡサブフレームのアップリンク・タイムスロットにおいて、無線設備ノードへダウンリンク制御保守データを伝送する第一送信モジュールと、
ＴＤ−ＳＣＤＭＡサブフレームのダウンリンク・タイムスロットにおいて、無線設備ノードより伝送されたアップリンク制御保守データを受信する第一受信モジュールと
を含むことを特徴とする無線設備制御ノード。
【請求項９】
前記制御データは、同期データと標識データを更に含み、
前記第一送信モジュールはまた、ＴＤ−ＳＣＤＭＡサブフレームのダウンリンク・タイムスロットにおいて無線設備ノードへダウンリンクユーザーデータ、同期データと標識データを伝送し、
前記第一受信モジュールはまた、ＴＤ−ＳＣＤＭＡサブフレームのアップリンク・タイムスロットにおいて、無線設備ノードより伝送されたアップリンクユーザーデータ、同期データと標識データを受信する
ことを特徴とする請求項８記載の無線設備制御ノード。
【請求項１０】
前記制御データは同期データと標識データを更に含み、
前記第一送信モジュールはまた、グループにおけるワードの最下位ビットにおいて無線設備ノードへダウンリンク同期データと標識データを伝送し、前記最下位ビットの総数は設定された閾値を越えず、
前記第一受信モジュールはまた、グループにおけるワードの最下位ビットにおいて無線設備ノードより伝送されたアップリンク同期データと標識データを受信し、前記最下位ビットの総数は設定された閾値を越えない
ことを特徴とする請求項８記載の無線設備制御ノード。
【請求項１１】
前記第一送信モジュールはまた、グループにおける異なったワードの最下位ビットを順番に選択して無線設備ノードへダウンリンク同期データと標識データを伝送し、
前記第一受信モジュールはまた、グループおける異なったワードの最下位ビットを順番に選択して無線設備ノードより伝送されたアップリンク同期データと標識データを受信し、
又は、前記第一送信モジュールはまた、グループにおける最下位ワードの最下位ビットにおいて無線設備ノードへダウンリンク同期データと標識データを伝送し、
前記第一受信モジュールは更にグループにおける最下位ワードの最下位ビットにおいて無線設備ノードより伝送されたアップリンク同期データと標識データを受信する
ことを特徴とする請求項１０記載の無線設備制御ノード。
【請求項１２】
ユーザーデータと、制御保守データが含まれる制御データを有する対話型データを無線設備制御ノードと交換する無線設備ノードであって、
ＴＤ−ＳＣＤＭＡサブフレームのダウンリンク・タイムスロットにおいて、無線設備制御ノードへアップリンク制御保守データを伝送する第二送信モジュールと、
ＴＤ−ＳＣＤＭＡサブフレームのアップリンク・タイムスロットにおいて、無線設備制御ノードより伝送されたダウンリンク制御保守データを受信する第二受信モジュールと
を含むことを特徴とする無線設備ノード。
【請求項１３】
前記制御データは同期データと標識データを更に含み、
前記第二送信モジュールはまた、ＴＤ−ＳＣＤＭＡサブフレームのアップリンク・タイムスロットにおいて、無線設備制御ノードへアップリンクユーザーデータ、同期データと標識データを伝送し、
前記第二受信モジュールはまた、ＴＤ−ＳＣＤＭＡサブフレームのダウンリンク・タイムスロットにおいて、無線設備制御ノードより伝送されたダウンリンクユーザーデータ、同期データと標識データを受信する
ことを特徴とする請求項１２記載の無線設備ノード。
【請求項１４】
前記制御データは同期データと標識データをさらに含み、
前記第二送信モジュールはまた、グループにおけるワードの最下位ビットにおいて、無線設備制御ノードへアップリンク同期データと標識データを伝送し、前記最下位ビットの総数は設定された閾値を越えず、
前記第二受信モジュールは又、グループにおけるワードの最下位ビットにおいて、無線設備制御ノードより伝送されたダウンリンク同期データと標識データを受信し、前記最下位ビットの総数は設定された閾値を越えない
ことを特徴とする請求項１２記載の無線設備ノード。
【請求項１５】
前記第二送信モジュールはまた、グループにおける異なったワードの最下位ビットを順番に選択して無線設備制御ノードへアップリンク同期データと標識データを伝送し、
前記第二受信モジュールはまた、グループにおける異なったワードの最下位ビットを順番に選択して無線設備制御ノードより伝送されたダウンリンク同期データと標識データを受信し、
或いは、前記第二送信モジュールはまた、グループにおける最下位ワードの最下位ビットにおいて、無線設備制御ノードに対してアップリンク同期データと標識データを伝送し、
前記第二受信モジュールはまた、グループにおける最下位ワードの最下位ビットにおいて、無線設備制御ノードより伝送されたダウンリンク同期データと標識データを受信する
ことを特徴とする請求項１４記載の無線設備ノード。
【請求項１６】
ユーザーデータと、制御保守データが含まれる制御データを有する対話型データを線設備制御ノードと無線設備ノードの間で交換する前記無線設備制御ノードと前記無線設備ノードを含む無線基地局システムであって、
前記無線設備制御ノードはＴＤ−ＳＣＤＭＡサブフレームのアップリンク・タイムスロットにおいて、無線設備ノードへダウンリンク制御保守データを伝送し、
前記無線設備ノードは、ＴＤ−ＳＣＤＭＡサブフレームのダウンリンク・タイムスロットにおいて、無線設備制御ノードへアップリンク制御保守データを伝送する
ことを特徴とする無線基地局システム。
【発明の詳細な説明】
【技術分野】
【０００１】
本発明は通信技術領域に関し、特に無線基地局における対話型のデータ交換方法、設備及びシステムに関する。
【背景技術】
【０００２】
近年、無線通信システムにおける基地局設計技術の進化に伴い、無線基地局における無線設備制御（ＲＥＣ）ノードと無線設備（ＲＥ）ノードは、物理的に分離化される勢いを見せている。例えば、ＲＥノードはアンテナに近い所に設置でき、ＲＥＣノードはアクセスしやすい所に設置できる。ＲＥＣノードはベースバンド信号処理を実行し、各ＲＥノードはベースバンド上のデータと無線周波数の間の変換を行い、１つ又は複数のアンテナにより情報を放射又は受信する。ＲＥＣノードは独自且つ専用の光リンク及び／又は電気リンクにより複数のリモートＲＥノードと接続する。各リンクはＲＥＣノードからＲＥノードへデータのダウンリンク伝送を行い、ＲＥノードからＲＥＣノードへデータのアップリンク伝送を行う。
【０００３】
ＲＥＣノードとＲＥノードの間で交換される対話型データはユーザーデータと制御データを含む。そのうち、ユーザーデータは、無線基地局からユーザー設備に（又は、ユーザー設備から無線基地局まで）伝送されるユーザー操作データである。ユーザーデータは複素数の形式で伝送されるため、複素数形式のユーザーデータはＩＱデータとも呼ばれ、そのうち、「Ｉ」は複素信号の実部又は同相成分に対応し、「Ｑ」は複素信号の虚部又は直角成分に対応する。１つの物理Ｉｒリンクを経由すれば、複数のＩＱデータフローを送信でき、ＩＱデータフロー毎に１つの搬送波の１つのアンテナ（アンテナ搬送波（Ａ×Ｃ）と称する）のデータに対応する。１つのＡ×Ｃ は１つの搬送波を伝送する１つのアンテナにより受信又は送信されたユーザーデータ量に関わっている。
【０００４】
ＲＥＣノードとＲＥノードの間で交換される制御データは、制御保守データ（Ｃ&Ｍデータ）、同期データ及び標識データ（例えば、フレーム番号）を含む。そのうち、制御保守データ（Ｃ&Ｍデータ）は、ＲＥＣノード、ＲＥノード及びＲＥＣノードとＲＥノードの間の通信インターフェースに対する制御管理と保守に用いられ、パラメータ配置類メッセージ、状態管理類メッセージ、警告管理類メッセージ、バージョン管理類等の多種のデータを含む。同期データはＲＥＣノードとＲＥノードが対話型データを交換する際に必要な同期情報とタイミング情報を指し、スーパーグループ、フレーム境界及び関連の番号を検出するために用いられる。時分割多重（ＴＤＭ）方式により、異なったアンテナ搬送波におけるＩＱデータと同期データを１つのＩｒリンクに多重送信できる。標識データはフレームの一意性を標識することに用いる。
【０００５】
ＲＥＣノードとＲＥノードの間の対話型のデータ交換を実現するため、広帯域符号分割多元接続（ＷＣＤＭＡ）システムに対して、汎用公用無線インターフェース（ＣＰＲＩ：Ｃｏｍｍｏｎ Ｐｕｂｌｉｃ Ｒａｄｉｏ Ｉｎｔｅｒｆａｃｅ）プロトコルが提出された。当該プロトコルにおいて、ＲＥノードは複数のアンテナ搬送波を利用して無線周波数インターフェースによりデータを受信・送信し、ＲＥＣノードとＲＥノードは互いに分離され、伝送リンクにより接続される。発生された制御データとユーザーデータは伝送リンクによりＲＥＣノードとＲＥノードの間で交換される。そのうち、ユーザーデータは複数のデータフローを含み、データフロー毎に単一アンテナの単一搬送波におけるデータに対応する。制御データとユーザーデータは時分割多重方式により、１つの時分割多重（ＴＤＭ）フレームに合成される。
【０００６】
ＣＰＲＩプロトコルによれば、ＲＥＣノードとＲＥノードの間のインターフェース回線速度は６１４．４Ｍｂｐｓ、１．２２８８Ｇｂｐｓ又は２．４５７６Ｇｂｐｓである。１．２２８８Ｇｂｐｓの回線速度に対して図１の示すようなフレーム構造を採用すれば、図１により以下のことがわかる。１つのＴＤＭ基本フレームは１６ビットを占用するワード１６個より構成する。１つの基本フレームにおいては、第１ワード（１６ｂｉｔ）は制御データを伝送し、それ以外の他のワードはユーザーデータを伝送する。また、図２の示すように、１つの基本フレームは１６×１６＝２５６ｂｉｔを含み、２５６個の基本フレームは１つのＴＤＭスーパーフレームを構成し、１５０個のスーパーフレームは１つのＷＣＤＭＡ無線フレームを構成する。
【先行技術文献】
【特許文献】
【０００７】
【特許文献１】中華人民共和国特許公開第１８６０８１１号明細書
【発明の開示】
【発明が解決しようとする課題】
【０００８】
本発明の発明者は本発明を実現する際、以下の技術要求を見出した。
【０００９】
ＲＥＣノードとＲＥノードの間の対話型のデータ交換は同様にＴＤ−ＳＣＤＭＡシステムに応用できる。しかし、良いシステム性能を達成するために、ＴＤ−ＳＣＤＭＡシステムにはインテリジェントアンテナ技術を対応する必要がある。代表的なインテリジェントアンテナ応用シーンにおいて、３８素子のインテリジェントアンテナを利用するセクター/搬送波３個の状況を考慮しなければならず、即ち、２４個のＩＱデータフロー（２４Ａ×Ｃ）を対応する必要がある。
【００１０】
ＴＤ−ＳＣＤＭＡシステムにおいて、比較的良いデータの動的範囲を取得するため、ユーザーデータにおける各データフローは１６ビットのサンプリングを採用すべきで、その際にＣＰＲＩプロトコルに基づくフレーム構造を利用し、ＲＥＣノードとＲＥノードの間の対話型のデータ交換を実現する場合、制御データは基本フレームにおいて１ワード長を占めるため、実際にユーザーデータの伝送に利用されるワード数は１５個しかなく、ユーザーデータを伝送するデータフローは２４個未満になり、ＴＤ−ＳＣＤＭＡシステムにおける代表的なインテリジェントアンテナの応用シーンの要求を対応できなくなる。ＲＥＣノードとＲＥノードはＴＤ−ＳＣＤＭＡシステムに対話型のデータ交換を行う際、無線基地局のデータフロー処理速度が低くて、システム性能が劣っていた。
【課題を解決するための手段】
【００１１】
本発明に係る実施形態は、無線設備制御ノードと無線設備ノードの間の対話型のデータ交換方法、設備及びシステムを提供し、無線設備制御ノードと無線設備ノードの間のデータフロー・スピードを向上することを目的とする。
【００１２】
本発明に係る実施形態が提供したユーザーデータと制御保守データが含まれる制御データを有する対話型データを無線設備制御ノードと無線設備ノードの間で交換する方法であって、無線設備制御ノードはＴＤ−ＳＣＤＭＡサブフレームのアップリンク・タイムスロットにおいて、無線設備ノードへダウンリンク制御保守データを伝送し、無線設備ノードはＴＤ−ＳＣＤＭＡサブフレームのダウンリンク・タイムスロットにおいて、無線設備制御ノードへアップリンク制御保守データを伝送する。
【００１３】
本発明に係る実施形態が更に提供したユーザーデータと制御保守データが含まれる制御データを有する対話型データを無線設備ノードと交換する無線設備制御ノードであって、
ＴＤ−ＳＣＤＭＡサブフレームのアップリンク・タイムスロットにおいて、無線設備ノードに対してダウンリンク制御保守データを伝送する第一送信モジュールと、
ＴＤ−ＳＣＤＭＡサブフレームのダウンリンク・タイムスロットにおいて、無線設備ノードより伝送されたアップリンク制御保守データを受信する第一受信モジュールと
を含む。
【００１４】
本発明に係る実施形態が更に提供したユーザーデータと制御保守データが含まれる制御データを有する対話型データを無線設備制御ノードと交換する無線設備ノードであって、
ＴＤ−ＳＣＤＭＡサブフレームのダウンリンク・タイムスロットにおいて、無線設備制御ノードへアップリンク制御保守データを伝送する第二送信モジュールと、
ＴＤ−ＳＣＤＭＡサブフレームのアップリンク・タイムスロットにおいて、無線設備制御ノードより伝送されたダウンリンク制御保守データを受信する第二受信モジュールと
を含む。
【００１５】
本発明に係る実施形態が更に提供したユーザーデータと制御保守データが含まれる制御データを有する対話型データを線設備制御ノードと無線設備ノードの間で交換する前記無線設備制御ノードと前記無線設備ノードを含む無線基地局システムであって、
無線設備制御ノードはＴＤ−ＳＣＤＭＡサブフレームのアップリンク・タイムスロットにおいて、無線設備ノードへダウンリンク制御保守データを伝送し、
無線設備ノードはＴＤ−ＳＣＤＭＡサブフレームのダウンリンク・タイムスロットおいて、無線設備制御ノードへアップリンク制御保守データを伝送する。
【発明の効果】
【００１６】
本発明に係る実施形態において、無線設備制御ノードはＴＤ−ＳＣＤＭＡフレームのアップリンク・タイムスロットにおいて、無線設備ノードへダウンリンク制御保守データを伝送し、ダウンリンク制御保守データの伝送をダウンリンク・タイムスロットを占用しないようにし、ダウンリンク・タイムスロットにおける制御保守データを含まない制御データは、僅か一部のビットしか占めない。無線設備ノードはＴＤ−ＳＣＤＭＡフレームのダウンリンク・タイムスロットおいて、無線設備制御ノードへアップリンク制御保守データを伝送し、アップリンク制御保守データの伝送をアップリンク・タイムスロットを占用させないようにし、アップリンク・タイムスロットにおける制御保守データを含まない制御データは、僅か一部のビットしか占めない。これにより、ユーザーデータの伝送率が大幅に向上される。ユーザーデータにおける各データフローが１６ビットのサンプリングを採用すれば、比較的に良い動的範囲を取得できるし、また、ＴＤ−ＳＣＤＭＡのインテリジェントアンテナ応用シーンにおいて、８アンテナで三つの搬送波を伝送し、２４個のデータフローを対応することも保証できるようになる。
【図面の簡単な説明】
【００１７】
【図１】背景技術に係る基本フレームの構造図である。
【図２】背景技術に係る基本フレームとＷＣＤＭＡ無線フレームの構成関係図である。
【図３】本発明の実施形態に係るＴＤ−ＳＣＤＭＡサブフレームの構造図である。
【図４】本発明の実施形態に係るグループと与ＴＤ−ＳＣＤＭＡフレームの構成関係図である。
【図５】本発明の実施形態に係る制御保守サブチャネルにおけるグループの構造図である。
【図６】本発明の実施形態に係るグループの構造図である。
【図７】本発明の実施形態に係る各スーパーグループの同期サブチャネルを示す図である。
【図８】本発明の実施形態に係る無線設備制御ノードの構造図である。
【図９】本発明の実施形態に係る無線設備ノードの構造図である。
【図１０】本発明の実施形態に係る無線設備基地局システムの構造図である。
【発明を実施するための形態】
【００１８】
以下は附図に関連して本発明に係る実施形態を詳細に説明する。
【００１９】
ＴＤ−ＳＣＤＭＡシステムにおいては、１つのＴＤ−ＳＣＤＭＡフレームは２つのＴＤ−ＳＣＤＭＡサブフレームより構成される。図３に示すように、１つのＴＤ−ＳＣＤＭＡサブフレームは、サービスタイムスロット（ＴＳ０〜ＴＳ６）、アップリンク・パイロット・タイムスロット（ＵｐＰＴＳ）、ダウンリンク・パイロット・タイムスロット（ＤｗＰＴＳ）とガード間隔（ＧＰ）を含む。そのうち、ダウンリンク・サービス・タイムスロットとダウンリンク・パイロット・タイムスロットは、ダウンリンクデータを伝送し、ダウンリンク・タイムスロットと呼ばれ、アップリンク・サービス・タイムスロットとアップリンク・パイロット・タイムスロットは、アップリンクデータを伝送し、アップリンク・タイムスロットと呼ばれる。
【００２０】
上述ＴＤ−ＳＣＤＭＡサブフレームの構造特徴を踏まえ、本発明の実施形態には、ＲＥＣノードとＲＥノードの間で交換される対話型データを部分的に分離・送信することが考慮した。以下は具体な処理である。
ＲＥＣノードとＲＥノードの間で交換される対話型データのうちに、制御データに含まれた制御保守データと他の制御データを分離してそれぞれ伝送する。ＲＥＣノードはＴＤ−ＳＣＤＭＡサブフレームのアップリンク・タイムスロットにおいて、ＲＥノードへダウンリンク制御保守データを伝送し、ＲＥノードはＴＤ−ＳＣＤＭＡサブフレームのダウンリンク・タイムスロットにおいて、ＲＥＣノードへアップリンク制御保守データを伝送する。そのうち、ＲＥＣノードとＲＥノードの間は、インターフェースを経由して対話型データを交換でき、例えば、Ｉｒインターフェース、又は他のＲＥＣノードとＲＥノードの対話型のデータ交換に用いられるインターフェースを経由して対話型データを交換する。
【００２１】
制御保守データが制御データから分離された後、ＲＥＣノードはＴＤ−ＳＣＤＭＡサブフレームのダウンリンク・タイムスロットを利用し、ＲＥノードへダウンリンクユーザーデータと制御保守データ以外の他の制御データ、例えば、同期データと標識データ（フレーム番号）を伝送する。ＲＥノードはＴＤ−ＳＣＤＭＡサブフレームのアップリンク・タイムスロットを利用して、ＲＥＣノードに対してアップリンクユーザーデータ及び制御保守データ以外の他の制御データ、例えば、同期データと標識データを伝送する。
【００２２】
ＲＥＣノードとＲＥノードの間に交換される制御データのうちに、制御保守データは全体の制御データに占めた比率は大きいため、上述のような制御データから分離された制御保守データと他の制御データをそれぞれとダウンリンクタイムスロットとアップリンクタイムスロット・により伝送する実施形態の方法を採用すれば、ＲＥＣノードとＲＥノードの間に対話型のデータ交換が行われる際、ＴＤ−ＳＣＤＭＡサブフレームにおける制御データの比率は大幅に低減され、より多くのタイムスロットはユーザーデータの伝送に利用できるようになる。そのため、ユーザーデータにおける各データフローは１６ｂｉｔのサンプリングを採用する際にユーザーデータを伝送するデータフロー数は２４個になり、ＴＤ−ＳＣＤＭＡシステムにおける３セクター/搬送波が、それぞれ８素子のインテリジェントアンテナを利用する応用シーンの要求を満足できるようになる。
【００２３】
１つのＴＤ−ＳＣＤＭＡフレームは複数のＴＤＭスーパーグループより構成でき、１つのＴＤＭスーパーグループは複数のＴＤＭのグループより構成できる。グループとＴＤ−ＳＣＤＭＡフレームの構成関係の１例は図４に示すように、６４個又は３２個のグループ（変数Ｘでフレーム番号を表示する）より１つのＴＤＭスーパーグループ（変数Ｚでフレーム番号を表示する）を構成し、２００個のスーパーグループより１つのＴＤ−ＳＣＤＭＡフレームを構成する。図４は６４個のグループより１つのＴＤＭのスーパーグループを構成する状況を示した。３２個のグループより１つのＴＤＭのスーパーグループを構成する状況はそれと類似する。実施において、１つのスーパーグループは５０マイクロ秒の時間長を占め、１つのＴＤ−ＳＣＤＭＡフレームは１０ミリ秒の時間長を占める。
【００２４】
１つの実例を挙げる。ＴＤ−ＳＣＤＭＡサブフレームにおいて、ＴＳ１とＵｐＰＴＳを利用してダウンリンクＣ&Ｍ Ｄａｔａを伝送し、ＴＳ０とＤｗＰＴＳを利用してアップリンクＣ&Ｍ Ｄａｔａを伝送する。
ダウンリンクに対して、全部で（８６４+１６０）×７６８ビット/７６８ビット=１０２４個のＧｒｏｕｐをＣｏｎｔｒｏｌ  Ｐｌａｎｅとすることができる。１つの実施形態において、ダウンリンク制御保守類のデータを１０２４個のサブチャネルに割り当てる。各サブチャネルは７６８ビットを含むＧｒｏｕｐより構成され、各Ｇｒｏｕｐの構成は図５に示すようである。
【００２５】
アップリンクに対して、全部で（８６４+９６）×７６８ビット/７６８ビット=９６０個のＧｒｏｕｐをＣｏｎｔｒｏｌ  Ｐｌａｎｅとすることができる。１つの実施形態において、アップリンク制御保守類データを９６０個のサブチャネルに割り当てる。各サブチャネルは７６８ビットを含むＧｒｏｕｐより構成され、各Ｇｒｏｕｐの構成は図５に示すようである。
【００２６】
図５において、４種類の制御保守データ（パラメータ配置類メッセージ・状態管理類メッセージ・警告管理類メッセージ・バージョン管理類メッセージ）及びＲｅｓｅｒｖｅｄ（予約）データが占めたサイズはイメージにすぎず、実際に占められたサイズはネットワークの実際需要により決められる。
【００２７】
又、初期同期化は同期ワード（ｓｙｎｃｈｒｏｎｉｚａｔｉｏｎ  ｗｏｒｄ）の連続が必要であるため、初期同期データをＣ&Ｍ Ｄａｔａに入れる。
【００２８】
図６の示すように、１つのＴＤＭフレームのグループは２４ワードで構成され、ワード毎に３２ｂｉｔを占用し、１グループは２４×３２=７６８ｂｉｔを含む。従来技術におけるＣＰＲＩプロトコルに準拠するフレーム構造と違って、本発明に係る実施形態は、制御データから制御保守データを分離した後、１グループ中の１語長（１６ｂｉｔ）で制御保守データ以外の制御データを伝送する必要がなくなり、制御保守データ以外の制御データ、例えば、同期データ、標識データ（フレーム番号）を１ｂｉｔに圧縮して１語長中の最下位ビットを占用させ、それ以外のビットをユーザーデータの伝送に利用させるようにして、ユーザーデータがグループ全体に占めた比率を大幅に向上する。
【００２９】
図６に示した影掛けの部分は、制御保守データ以外の制御データを伝送するに占用されたビットである。前記ビットはグループ全体中の最下位バイトの最下位ビットであるため、グループ全体のユーザーデータ伝送への影響は非常に小さく、グループ全体がユーザーデータの伝送に利用されたように考えられ、無線基地局のデータフロー処理速度を著しく加速させた。
【００３０】
図６において、各Ｇｒｏｕｐは２４ワードで構成し、インデックスがＷ=０…２３とする。ワード毎に含まれたバイト数はＴで表示し、ワード毎に８バイトに対応し、バイト毎に含まれたビットはＢ=０……７で表示する。Ｔの値はデータの総ビットレートにより決められ、当該総ビットレートはＩｒ回線ビットレートと称される。当該実例における総ワード長は３２ｂｉｔ、即ち、Ｔの値は４であり、取得できるデータビットレートは１２２８.８MＢｐｓである。インデックスＢとインデックスＴによれば、1ワード以内の各ビットをアドレッシングできる。そのうち、Ｂ=０、Ｔ=０とするビットは最下位ビットである。インデックスＷ=０とするワードの第一ビットを制御語とし、即ち、各Ｇｒｏｕｐの第一ワードの第一ｂｉｔ、即ち、Ｘ.０.０をＳｔａｒｔ  ｏｆ  Ｓｕｐｅｒ−Ｇｒｏｕｐ、ＳＧＮとＢＦＮ（同期データ及び標識データ）とし、基本Ｇｒｏｕｐに残された他のビットをユーザーデータの伝送に利用する。
【００３１】
図６の右側は矢印の方向で複数ビットの伝送順序を示している。「ＡＢＣＤＥＦＧＨ」で１バイトにおける上位から下位までの各ビットを表示すれば、８Ｂ/１０Ｂ符号化された後、「Ａ」からの１０ビットコードグループ「ＡＢＣＤＥＩ  ＦＧＨＪ」をシリアルデータフローとして送信する。即ち、８Ｂ/１０Ｂ符号化処理において、１つのコーディングビットを３つの上位ビットに入れ、もう１つのコーディングビットを５つの下位ビットに入れる。
【００３２】
無論、図６に示したような、制御保守データ以外の制御データが１ｂｉｔを占用する状況は、本発明の実施形態における１つの実例だけで、本発明の実施形態において、又、制御保守データ以外の制御データにグループ内の他のワードの最下位ビットを占用させても良い。例えば、グループ内の異なったワードの最下位ビットを順番に選択して制御保守データ以外の制御データを伝送する。無論、１グループにおいて、制御保守データ以外の制御データが占用するワードの最下位ビットの総数は(１５ｂｉｔ)を超えてはならない。理由は１６ｂｉｔを占用後、１グループにおけるユーザーデータ伝送できるワードは１５個しかなくなり、又、ＴＤ−ＳＣＤＭＡシステムにおけるインテリジェントアンテナ応用シーンにおける３セクター/搬送波で、セクター/搬送波毎に８素子のインテリジェントアンテナを利用する要求も満足できなくなる。
【００３３】
上述状況に対して、ユーザー要求及びシステム能力に応じて閾値を設置する。ＴＤ−ＳＣＤＭＡシステムのインテリジェントアンテナ応用シーンで、８素子のインテリジェントアンテナを利用するセクター/搬送波３個が必要とすることを満足させるため、１グルップにおける制御保守データ以外の制御データが占用するワードの最下位ビット総数に当該閾値を超えないようにする。。無論、当該閾値は１５を超えてはならない。
【００３４】
一つのスーパーグループは６４個のサブチャネルに対応し、サブチャネルのインデックス範囲は０から６３までで、一つのサブチャネルの制御語インデックス（Ｎｓ）は０・１・２・３という４つの可能値を持つ。等式Ｘ=Ｍｓ+１６×Ｎｓにより、スーパーグループ内の制御語インデックスを提供する。
【００３５】
各スーパーグループの同期サブチャネルは図７の示すようである。そのうち、同期データはＭｓ＝０とＮｓ＝０における第０制御語からＭｓ＝７とＮｓ＝０における第７制御語に対応する。上述のように、ＲＥノードにより当該制御語に含まれた同期データを検出して、ＲＥＣノードとＲＥノード間の同期化とタイミングを実現する。ＳＧＮの下位８ビットはＭｓ=０とＮｓ＝１における第１６制御語からＭｓ=７和Ｎｓ＝１における第２３の制御語に対応し、ＳＧＮの上位８ビットはＭｓ=０とＮｓ＝２における第３２制御語からＭｓ＝７とＮｓ＝２における第３９制御語に対応する。ＢＦＮの下位８ビットはＭｓ=８とＮｓ＝０における第８制御語からＭｓ＝１５とＮｓ＝０における第１５制御語に対応し、ＢＦＮの上位８ビットはＭｓ=８とＮｓ＝１における第２４制御語からＭｓ＝１５とＮｓ＝１における第３１制御語に対応する。他の制御語はｒｅｓｅｒｖｅｄとする。
【００３６】
実施において、時分割多重化（ＴＤＭ）方式により異なるアンテナ搬送波におけるユーザーデータ、同期データと標識データを１つのＩｒリンクに多重送信する。同期データと標識データはグループにおけるワードの最下位ビットのみを占用するため、ユーザーデータの品質を影響しない前提で同期化とタイミングを実現できるのである。
【００３７】
同様な発明思想に基づき、本発明に係る実施形態はまた、一種の無線設備制御ノードを提供し、無線設備ノードと対話型のデータ交換を行い、交換される対話型データはユーザーデータと制御データを含む。制御データは制御保守データを含み、構造は図８の示すように、第一送信モジュール８１と第一受信モジュール８２を含む。そのうち、第一送信モジュール８１はＴＤ−ＳＣＤＭＡサブフレームのアップリンク・タイムスロットにおいて、無線設備ノードへダウンリンク制御保守データを伝送し、第一受信モジュール８２はＴＤ−ＳＣＤＭＡサブフレームのダウンリンク・タイムスロットにおいて、無線設備ノードより伝送されたアップリンク制御保守データを受信する。
【００３８】
１つの実施形態において、制御データは同期データと標識データを更に含む。第一送信モジュール８１はまた、ＴＤ−ＳＣＤＭＡサブフレームのダウンリンク・タイムスロットにおいて、無線設備ノードへダウンリンクユーザーデータ、同期データ及び標識データを伝送する。第一受信モジュール８２はまた、ＴＤ−ＳＣＤＭＡサブフレームのアップリンク・タイムスロットにおいて、無線設備ノードより伝送されたアップリンクユーザーデータ、同期データと標識データを受信する。
【００３９】
又、１つの実施形態において、制御データは同期データと標識データを更に含む。第一送信モジュール８１はまた、グループ中のワードの最下位ビットにおいて、無線設備ノードへダウンリンク同期データと標識データを伝送し、前記最下位ビットの総数は設定された閾値を越えない。第一受信モジュール８２はまた、グループにおけるワードの最下位ビットにおいて、無線設備ノードより伝送されたアップリンク同期データと標識データを受信し、前記最下位ビットの総数は設定された閾値を越えない。
【００４０】
又、１つの実施形態において、第一送信モジュール８１はまた、グループ中の異なったワードの最下位ビットを順番に選択して無線設備ノードへダウンリンク同期データと標識データを伝送しする。第一受信モジュール８２はまた、グループ中の異なったワードの最下位ビットを順番に選択して無線設備ノードより伝送されたアップリンク同期データと標識データを受信しする。或いは、第一送信モジュール８１は、グループ中の最下位ワードの最下位ビットにおいて、無線設備ノードへダウンリンク同期データと標識データを伝送し、第一受信モジュール８２は、グループ中の最下位ワードの最下位ビットにおいて、無線設備ノードより伝送されたアップリンク同期データと標識データを受信する。
【００４１】
同様な発明思想に基づき、本発明に係る実施形態が更に提供した、無線設備ノードは、無線設備制御ノードと対話型のデータ交換を行い、交換される対話型データはユーザーデータと制御保守データを含む制御データを有する。、構造は図９の示すように、前記無線設備ノードは第二送信モジュール９１と第二受信モジュール９２を含む。そのうち、第二送信モジュール９１はＴＤ−ＳＣＤＭＡサブフレームのダウンリンク・タイムスロットにおいて、無線設備制御ノードへアップリンク制御保守データを伝送する。第二受信モジュール９２はＴＤ−ＳＣＤＭＡサブフレームのアップリンク・タイムスロットにおいて、無線設備制御ノードより伝送されたダウンリンク制御保守データを受信する。
【００４２】
１つの実施形態には、制御データは同期データと標識データを更に含む。第二送信モジュール９１はまた、ＴＤ−ＳＣＤＭＡサブフレームのアップリンク・タイムスロットにおいて、無線設備制御ノードへアップリンクユーザーデータ、同期データと標識データを伝送する。第二受信モジュール９２はまた、ＴＤ−ＳＣＤＭＡサブフレームのダウンリンク・タイムスロットにおいて、無線設備制御ノードより伝送されたダウンリンク・ユーザーデータ、同期データと標識データを受信する。
【００４３】
又、１つの実施形態には、制御データは同期データと標識データを含む。第二送信モジュール９１はまた、グループ中のワードの最下位ビットにおいて、無線設備制御ノードへアップリンク同期データと標識データを伝送し、前記最下位ビットの総数は設定された閾値を越えない。第二受信モジュール９２はまた、グループ中のワードの最下位ビットにおいて、無線設備制御ノードより伝送されたダウンリンク同期データと標識データを受信し、前記最下位ビットの総数は設定された閾値を越えない。
【００４４】
更に、１つの実施形態には、第二送信モジュール９１は、グループにおける異なったワードの最下位ビットを順番に選択して無線設備制御ノードへアップリンク同期データと標識データを伝送する。第二受信モジュール９２はまた、グループにおける異なったワードの最下位ビットを順番に選択して無線設備制御ノードより伝送されたダウンリンク同期データと標識データを受信する。或いは、第二送信モジュール９１はまた、グループ中の最下位ワードの最下位ビットにおいて、無線設備制御ノードに対してアップリンク同期データと標識データを伝送し、第二受信モジュール９２はまた、グループ中の最下位ワードの最下位ビットにより、無線設備制御ノードより伝送されたダウンリンク同期データと標識データを受信する。
【００４５】
同様な発明思想に基づき、本発明に係る実施形態が更に提供した無線基地局システムは、構造は図１０の示すように、無線設備制御ノード１０１と無線設備ノード１０２を含む。無線設備制御ノード１０１と無線設備ノード１０２は互いに対話型のデータ交換を行い、交換される対話型データはユーザーデータと制御保守データを含む制御データを有する。無線設備制御ノード１０１はＴＤ−ＳＣＤＭＡサブフレームのアップリンク・タイムスロットにおいて、無線設備ノード１０２へダウンリンク制御保守データを伝送し、無線設備ノード１０２はＴＤ−ＳＣＤＭＡサブフレームのダウンリンク・タイムスロットにおいて、無線設備制御ノード１０１へアップリンク制御保守データを伝送する。
【００４６】
当業者が理解できるように、上述実施形態の方法における全て又は一部のステップは、プログラムからハードウェアに指示することにより完成でき、当該プログラムは一台のコンピューターの読み取り記憶メディアに保存でき、当該記憶メディアはＲＯＭ、ＲＡＭ、磁気ディスク又はＣＤを含んでも良い。
【００４７】
本発明に係る実施形態において、無線設備制御ノードはＴＤ−ＳＣＤＭＡフレームのアップリンク・タイムスロットにおいて、無線設備ノードへダウンリンク制御保守データを伝送するため、ダウンリンク制御保守データの伝送がダウンリンク・タイムスロットを占用しない。ダウンリンク・タイムスロットにおける制御データは制御保守データを含まず、ダウンリンク・タイムスロット全体において非常に少ない一部のビットのみを占める。無線設備ノードはＴＤ−ＳＣＤＭＡフレームのダウンリンク・タイムスロットにおいて、無線設備制御ノードへアップリンク制御保守データを伝送するため、アップリンク制御保守データの伝送がアップリンク・タイムスロットを占用しない。アップリンク・タイムスロットにおける制御データは制御保守データを含まず、アップリンク・タイムスロット全体において非常に少ない一部のビットのみを占める。これにより、ユーザーデータの伝送率が大幅に向上され、ユーザーデータにおける各データフローに１６ビットのサンプリングを採用させ、比較的に良い動的範囲を取得できる。また、ＴＤ−ＳＣＤＭＡのインテリジェントアンテナ応用シーンにおいて、８アンテナで３搬送波をキャリアし、２４個のデータフローを対応することも保証できるようになる。
【００４８】
もう一方、本発明に係る実施形態において、無線設備制御ノードはＴＤ−ＳＣＤＭＡサブフレームのダウンリンク・タイムスロットにおいて、無線設備ノードへユーザーデータ、同期データと標識データを伝送する。無線設備ノードはＴＤ−ＳＣＤＭＡサブフレームのアップリンク・タイムスロットにおいて、無線設備制御ノードに対してユーザーデータ、同期データと和標識データを伝送するため、ユーザーデータ品質に影響を与えずにＴＤ−ＳＣＤＭＡのインテリジェントアンテナ応用シーンの要求を満足するという前提の元に、同期化とタイミングを実現することを確保する。
【００４９】
本明細書では上述した実施例を参照し本発明を詳しく解説したが、無論、当業者により、上述した技術的な解決手段を改造し、またはその中の一部の技術要素を置換することもできる。そのような改造と置換は本発明の各実施例の技術の範囲から逸脱するとは見なされない。
【図１】
2010539828.tif 000003
【図２】
2010539828.tif 000004
【図３】
2010539828.tif 000005
【図４】
2010539828.tif 000006
【図５】
2010539828.tif 000007
【図６】
2010539828.tif 000008
【図７】
2010539828.tif 000009
【図８】
2010539828.tif 000010
【図９】
2010539828.tif 000011
【図１０】
2010539828.tif 000012
【手続補正書】
【提出日】平成22年3月23日(2010.3.23)
【手続補正１】
【補正対象書類名】明細書
【補正対象項目名】全文
【補正方法】変更
【補正の内容】
【発明の詳細な説明】
【技術分野】
【０００１】
本発明は通信技術領域に関し、特に無線基地局における対話型のデータ交換方法、設備及びシステムに関する。
【背景技術】
【０００２】
近年、無線通信システムにおける基地局設計技術の進化に伴い、無線基地局における無線設備制御（ＲＥＣ）ノードと無線設備（ＲＥ）ノードは、物理的に分離化される勢いを見せている。例えば、ＲＥノードはアンテナに近い所に設置でき、ＲＥＣノードはアクセスしやすい所に設置できる。ＲＥＣノードはベースバンド信号処理を実行し、各ＲＥノードはベースバンド上のデータと無線周波数の間の変換を行い、１つ又は複数のアンテナにより情報を放射又は受信する。ＲＥＣノードは独自且つ専用の光リンク及び／又は電気リンクにより複数のリモートＲＥノードと接続する。各リンクはＲＥＣノードからＲＥノードへデータのダウンリンク伝送を行い、ＲＥノードからＲＥＣノードへデータのアップリンク伝送を行う。
【０００３】
ＲＥＣノードとＲＥノードの間で交換される対話型データはユーザーデータと制御データを含む。そのうち、ユーザーデータは、無線基地局からユーザー設備に（又は、ユーザー設備から無線基地局まで）伝送されるユーザー操作データである。ユーザーデータは複素数の形式で伝送されるため、複素数形式のユーザーデータはＩＱデータとも呼ばれ、そのうち、「Ｉ」は複素信号の実部又は同相成分に対応し、「Ｑ」は複素信号の虚部又は直角成分に対応する。１つの物理Ｉｒリンクを経由すれば、複数のＩＱデータフローを送信でき、ＩＱデータフロー毎に１つの搬送波の１つのアンテナ（アンテナ搬送波（Ａ×Ｃ）と称する）のデータに対応する。１つのＡ×Ｃ は１つの搬送波を伝送する１つのアンテナにより受信又は送信されたユーザーデータ量に関わっている。
【０００４】
ＲＥＣノードとＲＥノードの間で交換される制御データは、制御保守データ（Ｃ＆Ｍデータ）、同期データ及び標識データ（例えば、フレーム番号）を含む。そのうち、制御保守データ（Ｃ＆Ｍデータ）は、ＲＥＣノード、ＲＥノード及びＲＥＣノードとＲＥノードの間の通信インターフェースに対する制御管理と保守に用いられ、パラメータ配置類メッセージ、状態管理類メッセージ、警告管理類メッセージ、バージョン管理類等の多種のデータを含む。同期データはＲＥＣノードとＲＥノードが対話型データを交換する際に必要な同期情報とタイミング情報を指し、スーパーグループ、フレーム境界及び関連の番号を検出するために用いられる。時分割多重（ＴＤＭ）方式により、異なったアンテナ搬送波におけるＩＱデータと同期データを１つのＩｒリンクに多重送信できる。標識データはフレームの一意性を標識することに用いる。
【０００５】
ＲＥＣノードとＲＥノードの間の対話型のデータ交換を実現するため、広帯域符号分割多元接続（ＷＣＤＭＡ）システムに対して、汎用公用無線インターフェース（ＣＰＲＩ：Ｃｏｍｍｏｎ Ｐｕｂｌｉｃ Ｒａｄｉｏ Ｉｎｔｅｒｆａｃｅ）プロトコルが提出された。当該プロトコルにおいて、ＲＥノードは複数のアンテナ搬送波を利用して無線周波数インターフェースによりデータを受信・送信し、ＲＥＣノードとＲＥノードは互いに分離され、伝送リンクにより接続される。発生された制御データとユーザーデータは伝送リンクによりＲＥＣノードとＲＥノードの間で交換される。そのうち、ユーザーデータは複数のデータフローを含み、データフロー毎に単一アンテナの単一搬送波におけるデータに対応する。制御データとユーザーデータは時分割多重方式により、１つの時分割多重（ＴＤＭ）フレームに合成される。
【０００６】
ＣＰＲＩプロトコルによれば、ＲＥＣノードとＲＥノードの間のインターフェース回線速度は６１４．４Ｍｂｐｓ、１．２２８８Ｇｂｐｓ又は２．４５７６Ｇｂｐｓである。１．２２８８Ｇｂｐｓの回線速度に対して図１の示すようなフレーム構造を採用すれば、図１により以下のことがわかる。１つのＴＤＭ基本フレームは１６ビットを占用するワード１６個より構成する。１つの基本フレームにおいては、第１ワード（１６ｂｉｔ）は制御データを伝送し、それ以外の他のワードはユーザーデータを伝送する。また、図２の示すように、１つの基本フレームは１６×１６＝２５６ｂｉｔを含み、２５６個の基本フレームは１つのＴＤＭスーパーフレームを構成し、１５０個のスーパーフレームは１つのＷＣＤＭＡ無線フレームを構成する。
【先行技術文献】
【特許文献】
【０００７】
【特許文献１】中華人民共和国特許出願公開第１８６０８１１号明細書
【発明の開示】
【発明が解決しようとする課題】
【０００８】
本発明の発明者は本発明を実現する際、以下の技術要求を見出した。
【０００９】
ＲＥＣノードとＲＥノードの間の対話型のデータ交換は同様にＴＤシステムに応用できる。しかし、良いシステム性能を達成するために、ＴＤシステムにはインテリジェントアンテナ技術を対応する必要がある。代表的なインテリジェントアンテナ応用シーンにおいて、３８素子のインテリジェントアンテナを利用するセクター／搬送波３個の状況を考慮しなければならず、即ち、２４個のＩＱデータフロー（２４Ａ×Ｃ）を対応する必要がある。
【００１０】
ＴＤシステムにおいて、比較的良いデータの動的範囲を取得するため、ユーザーデータにおける各データフローは１６ビットのサンプリングを採用すべきで、その際にＣＰＲＩプロトコルに基づくフレーム構造を利用し、ＲＥＣノードとＲＥノードの間の対話型のデータ交換を実現する場合、制御データは基本フレームにおいて１ワード長を占めるため、実際にユーザーデータの伝送に利用されるワード数は１５個しかなく、ユーザーデータを伝送するデータフローは２４個未満になり、ＴＤシステムにおける代表的なインテリジェントアンテナの応用シーンの要求を対応できなくなる。ＲＥＣノードとＲＥノードはＴＤシステムに対話型のデータ交換を行う際、無線基地局のデータフロー処理速度が低くて、システム性能が劣っていた。
【課題を解決するための手段】
【００１１】
本発明に係る実施形態は、無線設備制御ノードと無線設備ノードの間の対話型のデータ交換方法、設備及びシステムを提供し、無線設備制御ノードと無線設備ノードの間のデータフロー・スピードを向上することを目的とする。
【００１２】
本発明に係る実施形態が提供したユーザーデータと制御保守データが含まれる制御データを有する対話型データを無線設備制御ノードと無線設備ノードの間で交換する方法であって、無線設備制御ノードはＴＤサブフレームのアップリンク・タイムスロットにおいて、無線設備ノードへダウンリンク制御保守データを伝送し、無線設備ノードはＴＤサブフレームのダウンリンク・タイムスロットにおいて、無線設備制御ノードへアップリンク制御保守データを伝送する。
【００１３】
本発明に係る実施形態が更に提供したユーザーデータと制御保守データが含まれる制御データを有する対話型データを無線設備ノードと交換する無線設備制御ノードであって、
ＴＤサブフレームのアップリンク・タイムスロットにおいて、無線設備ノードに対してダウンリンク制御保守データを伝送する第一送信モジュールと、
ＴＤサブフレームのダウンリンク・タイムスロットにおいて、無線設備ノードより伝送されたアップリンク制御保守データを受信する第一受信モジュールと
を含む。
【００１４】
本発明に係る実施形態が更に提供したユーザーデータと制御保守データが含まれる制御データを有する対話型データを無線設備制御ノードと交換する無線設備ノードであって、
ＴＤサブフレームのダウンリンク・タイムスロットにおいて、無線設備制御ノードへアップリンク制御保守データを伝送する第二送信モジュールと、
ＴＤサブフレームのアップリンク・タイムスロットにおいて、無線設備制御ノードより伝送されたダウンリンク制御保守データを受信する第二受信モジュールと
を含む。
【００１５】
本発明に係る実施形態が更に提供したユーザーデータと制御保守データが含まれる制御データを有する対話型データを線設備制御ノードと無線設備ノードの間で交換する前記無線設備制御ノードと前記無線設備ノードを含む無線基地局システムであって、
無線設備制御ノードはＴＤサブフレームのアップリンク・タイムスロットにおいて、無線設備ノードへダウンリンク制御保守データを伝送し、
無線設備ノードはＴＤサブフレームのダウンリンク・タイムスロットにおいて、無線設備制御ノードへアップリンク制御保守データを伝送する。
【発明の効果】
【００１６】
本発明に係る実施形態において、無線設備制御ノードはＴＤフレームのアップリンク・タイムスロットにおいて、無線設備ノードへダウンリンク制御保守データを伝送し、ダウンリンク制御保守データの伝送をダウンリンク・タイムスロットを占用しないようにし、ダウンリンク・タイムスロットにおける制御保守データを含まない制御データは、僅か一部のビットしか占めない。無線設備ノードはＴＤフレームのダウンリンク・タイムスロットおいて、無線設備制御ノードへアップリンク制御保守データを伝送し、アップリンク制御保守データの伝送をアップリンク・タイムスロットを占用させないようにし、アップリンク・タイムスロットにおける制御保守データを含まない制御データは、僅か一部のビットしか占めない。これにより、ユーザーデータの伝送率が大幅に向上される。ユーザーデータにおける各データフローが１６ビットのサンプリングを採用すれば、比較的に良い動的範囲を取得できるし、また、ＴＤのインテリジェントアンテナ応用シーンにおいて、８アンテナで三つの搬送波を伝送し、２４個のデータフローを対応することも保証できるようになる。
【図面の簡単な説明】
【００１７】
【図１】背景技術に係る基本フレームの構造図である。
【図２】背景技術に係る基本フレームとＷＣＤＭＡ無線フレームの構成関係図である。
【図３】本発明の実施形態に係るＴＤサブフレームの構造図である。
【図４】本発明の実施形態に係るグループと与ＴＤフレームの構成関係図である。
【図５】本発明の実施形態に係る制御保守サブチャネルにおけるグループの構造図である。
【図６】本発明の実施形態に係るグループの構造図である。
【図７】本発明の実施形態に係る各スーパーグループの同期サブチャネルを示す図である。
【図８】本発明の実施形態に係る無線設備制御ノードの構造図である。
【図９】本発明の実施形態に係る無線設備ノードの構造図である。
【図１０】本発明の実施形態に係る無線設備基地局システムの構造図である。
【発明を実施するための形態】
【００１８】
以下は附図に関連して本発明に係る実施形態を詳細に説明する。
【００１９】
ＴＤシステムにおいては、１つのＴＤフレームは２つのＴＤサブフレームより構成される。図３に示すように、１つのＴＤサブフレームは、サービスタイムスロット（ＴＳ０〜ＴＳ６）、アップリンク・パイロット・タイムスロット（ＵｐＰＴＳ）、ダウンリンク・パイロット・タイムスロット（ＤｗＰＴＳ）とガード間隔（ＧＰ）を含む。そのうち、ダウンリンク・サービス・タイムスロットとダウンリンク・パイロット・タイムスロットは、ダウンリンクデータを伝送し、ダウンリンク・タイムスロットと呼ばれ、アップリンク・サービス・タイムスロットとアップリンク・パイロット・タイムスロットは、アップリンクデータを伝送し、アップリンク・タイムスロットと呼ばれる。
【００２０】
上述ＴＤサブフレームの構造特徴を踏まえ、本発明の実施形態には、ＲＥＣノードとＲＥノードの間で交換される対話型データを部分的に分離・送信することが考慮した。以下は具体な処理である。
ＲＥＣノードとＲＥノードの間で交換される対話型データのうちに、制御データに含まれた制御保守データと他の制御データを分離してそれぞれ伝送する。ＲＥＣノードはＴＤサブフレームのアップリンク・タイムスロットにおいて、ＲＥノードへダウンリンク制御保守データを伝送し、ＲＥノードはＴＤサブフレームのダウンリンク・タイムスロットにおいて、ＲＥＣノードへアップリンク制御保守データを伝送する。そのうち、ＲＥＣノードとＲＥノードの間は、インターフェースを経由して対話型データを交換でき、例えば、Ｉｒインターフェース、又は他のＲＥＣノードとＲＥノードの対話型のデータ交換に用いられるインターフェースを経由して対話型データを交換する。
【００２１】
制御保守データが制御データから分離された後、ＲＥＣノードはＴＤサブフレームのダウンリンク・タイムスロットを利用し、ＲＥノードへダウンリンクユーザーデータと制御保守データ以外の他の制御データ、例えば、同期データと標識データ（フレーム番号）を伝送する。ＲＥノードはＴＤサブフレームのアップリンク・タイムスロットを利用して、ＲＥＣノードに対してアップリンクユーザーデータ及び制御保守データ以外の他の制御データ、例えば、同期データと標識データを伝送する。
【００２２】
ＲＥＣノードとＲＥノードの間に交換される制御データのうちに、制御保守データは全体の制御データに占めた比率は大きいため、上述のような制御データから分離された制御保守データと他の制御データをそれぞれとダウンリンクタイムスロットとアップリンクタイムスロットにより伝送する実施形態の方法を採用すれば、ＲＥＣノードとＲＥノードの間に対話型のデータ交換が行われる際、ＴＤサブフレームにおける制御データの比率は大幅に低減され、より多くのタイムスロットはユーザーデータの伝送に利用できるようになる。そのため、ユーザーデータにおける各データフローは１６ｂｉｔのサンプリングを採用する際にユーザーデータを伝送するデータフロー数は２４個になり、ＴＤシステムにおける３セクター／搬送波が、それぞれ８素子のインテリジェントアンテナを利用する応用シーンの要求を満足できるようになる。
【００２３】
１つのＴＤフレームは複数のＴＤＭスーパーグループより構成でき、１つのＴＤＭスーパーグループは複数のＴＤＭのグループより構成できる。グループとＴＤフレームの構成関係の１例は図４に示すように、６４個又は３２個のグループ（変数Ｘでフレーム番号を表示する）より１つのＴＤＭスーパーグループ（変数Ｚでフレーム番号を表示する）を構成し、２００個のスーパーグループより１つのＴＤフレームを構成する。図４は６４個のグループより１つのＴＤＭのスーパーグループを構成する状況を示した。３２個のグループより１つのＴＤＭのスーパーグループを構成する状況はそれと類似する。実施において、１つのスーパーグループは５０マイクロ秒の時間長を占め、１つのＴＤフレームは１０ミリ秒の時間長を占める。
【００２４】
１つの実例を挙げる。ＴＤサブフレームにおいて、ＴＳ１とＵｐＰＴＳを利用してダウンリンクＣ＆Ｍ Ｄａｔａを伝送し、ＴＳ０とＤｗＰＴＳを利用してアップリンクＣ＆Ｍ Ｄａｔａを伝送する。
ダウンリンクに対して、全部で（８６４＋１６０）×７６８ビット／７６８ビット＝１０２４個のＧｒｏｕｐをＣｏｎｔｒｏｌ  Ｐｌａｎｅとすることができる。１つの実施形態において、ダウンリンク制御保守類のデータを１０２４個のサブチャネルに割り当てる。各サブチャネルは７６８ビットを含むＧｒｏｕｐより構成され、各Ｇｒｏｕｐの構成は図５に示すようである。
【００２５】
アップリンクに対して、全部で（８６４＋９６）×７６８ビット／７６８ビット＝９６０個のＧｒｏｕｐをＣｏｎｔｒｏｌ  Ｐｌａｎｅとすることができる。１つの実施形態において、アップリンク制御保守類データを９６０個のサブチャネルに割り当てる。各サブチャネルは７６８ビットを含むＧｒｏｕｐより構成され、各Ｇｒｏｕｐの構成は図５に示すようである。
【００２６】
図５において、４種類の制御保守データ（パラメータ配置類メッセージ・状態管理類メッセージ・警告管理類メッセージ・バージョン管理類メッセージ）及びＲｅｓｅｒｖｅｄ（予約）データが占めたサイズはイメージにすぎず、実際に占められたサイズはネットワークの実際需要により決められる。
【００２７】
又、初期同期化は同期ワード（ｓｙｎｃｈｒｏｎｉｚａｔｉｏｎ  ｗｏｒｄ）の連続が必要であるため、初期同期データをＣ＆Ｍ Ｄａｔａに入れる。
【００２８】
図６の示すように、１つのＴＤＭフレームのグループは２４ワードで構成され、ワード毎に３２ｂｉｔを占用し、１グループは２４×３２＝７６８ｂｉｔを含む。従来技術におけるＣＰＲＩプロトコルに準拠するフレーム構造と違って、本発明に係る実施形態は、制御データから制御保守データを分離した後、１グループ中の１語長（１６ｂｉｔ）で制御保守データ以外の制御データを伝送する必要がなくなり、制御保守データ以外の制御データ、例えば、同期データ、標識データ（フレーム番号）を１ｂｉｔに圧縮して１語長中の最下位ビットを占用させ、それ以外のビットをユーザーデータの伝送に利用させるようにして、ユーザーデータがグループ全体に占めた比率を大幅に向上する。
【００２９】
図６に示した影掛けの部分は、制御保守データ以外の制御データを伝送するに占用されたビットである。前記ビットはグループ全体中の最下位バイトの最下位ビットであるため、グループ全体のユーザーデータ伝送への影響は非常に小さく、グループ全体がユーザーデータの伝送に利用されたように考えられ、無線基地局のデータフロー処理速度を著しく加速させた。
【００３０】
図６において、各Ｇｒｏｕｐは２４ワードで構成し、インデックスがＷ＝０…２３とする。ワード毎に含まれたバイト数はＴで表示し、ワード毎に８バイトに対応し、バイト毎に含まれたビットはＢ＝０……７で表示する。Ｔの値はデータの総ビットレートにより決められ、当該総ビットレートはＩｒ回線ビットレートと称される。当該実例における総ワード長は３２ｂｉｔ、即ち、Ｔの値は４であり、取得できるデータビットレートは１２２８.８MＢｐｓである。インデックスＢとインデックスＴによれば、１ワード以内の各ビットをアドレッシングできる。そのうち、Ｂ＝０、Ｔ＝０とするビットは最下位ビットである。インデックスＷ＝０とするワードの第一ビットを制御語とし、即ち、各Ｇｒｏｕｐの第一ワードの第一ｂｉｔ、即ち、Ｘ.０.０をＳｔａｒｔ  ｏｆ  Ｓｕｐｅｒ−Ｇｒｏｕｐ、ＳＧＮとＢＦＮ（同期データ及び標識データ）とし、基本Ｇｒｏｕｐに残された他のビットをユーザーデータの伝送に利用する。
【００３１】
図６の右側は矢印の方向で複数ビットの伝送順序を示している。「ＡＢＣＤＥＦＧＨ」で１バイトにおける上位から下位までの各ビットを表示すれば、８Ｂ／１０Ｂ符号化された後、「Ａ」からの１０ビットコードグループ「ＡＢＣＤＥＩ  ＦＧＨＪ」をシリアルデータフローとして送信する。即ち、８Ｂ／１０Ｂ符号化処理において、１つのコーディングビットを３つの上位ビットに入れ、もう1つのコーディングビットを５つの下位ビットに入れる。
【００３２】
無論、図６に示したような、制御保守データ以外の制御データが１ｂｉｔを占用する状況は、本発明の実施形態における１つの実例だけで、本発明の実施形態において、又、制御保守データ以外の制御データにグループ内の他のワードの最下位ビットを占用させても良い。例えば、グループ内の異なったワードの最下位ビットを順番に選択して制御保守データ以外の制御データを伝送する。無論、１グループにおいて、制御保守データ以外の制御データが占用するワードの最下位ビットの総数は(１５ｂｉｔ)を超えてはならない。理由は１６ｂｉｔを占用後、１グループにおけるユーザーデータ伝送できるワードは１５個しかなくなり、又、ＴＤシステムにおけるインテリジェントアンテナ応用シーンにおける３セクター／搬送波で、セクター／搬送波毎に８素子のインテリジェントアンテナを利用する要求も満足できなくなる。
【００３３】
上述状況に対して、ユーザー要求及びシステム能力に応じて閾値を設置する。ＴＤシステムのインテリジェントアンテナ応用シーンで、８素子のインテリジェントアンテナを利用するセクター／搬送波３個が必要とすることを満足させるため、１グループにおける制御保守データ以外の制御データが占用するワードの最下位ビット総数に当該閾値を超えないようにする。無論、当該閾値は１５を超えてはならない。
【００３４】
一つのスーパーグループは６４個のサブチャネルに対応し、サブチャネルのインデックス範囲は０から６３までで、一つのサブチャネルの制御語インデックス（Ｎｓ）は０・１・２・３という４つの可能値を持つ。等式Ｘ＝Ｍｓ＋１６×Ｎｓにより、スーパーグループ内の制御語インデックスを提供する。
【００３５】
各スーパーグループの同期サブチャネルは図７の示すようである。そのうち、同期データはＭｓ＝０とＮｓ＝０における第０制御語からＭｓ＝７とＮｓ＝０における第７制御語に対応する。上述のように、ＲＥノードにより当該制御語に含まれた同期データを検出して、ＲＥＣノードとＲＥノード間の同期化とタイミングを実現する。ＳＧＮの下位８ビットはＭｓ＝０とＮｓ＝１における第１６制御語からＭｓ＝７とＮｓ＝１における第２３の制御語に対応し、ＳＧＮの上位８ビットはＭｓ＝０とＮｓ＝２における第３２制御語からＭｓ＝７とＮｓ＝２における第３９制御語に対応する。ＢＦＮの下位８ビットはＭｓ＝８とＮｓ＝０における第８制御語からＭｓ＝１５とＮｓ＝０における第１５制御語に対応し、ＢＦＮの上位８ビットはＭｓ＝８とＮｓ＝１における第２４制御語からＭｓ＝１５とＮｓ＝１における第３１制御語に対応する。他の制御語はｒｅｓｅｒｖｅｄとする。
【００３６】
実施において、時分割多重化（ＴＤＭ）方式により異なるアンテナ搬送波におけるユーザーデータ、同期データと標識データを１つのＩｒリンクに多重送信する。同期データと標識データはグループにおけるワードの最下位ビットのみを占用するため、ユーザーデータの品質を影響しない前提で同期化とタイミングを実現できるのである。
【００３７】
同様な発明思想に基づき、本発明に係る実施形態はまた、一種の無線設備制御ノードを提供し、無線設備ノードと対話型のデータ交換を行い、交換される対話型データはユーザーデータと制御データを含む。制御データは制御保守データを含み、構造は図８の示すように、第一送信モジュール８１と第一受信モジュール８２を含む。そのうち、第一送信モジュール８１はＴＤサブフレームのアップリンク・タイムスロットにおいて、無線設備ノードへダウンリンク制御保守データを伝送し、第一受信モジュール８２はＴＤサブフレームのダウンリンク・タイムスロットにおいて、無線設備ノードより伝送されたアップリンク制御保守データを受信する。
【００３８】
１つの実施形態において、制御データは同期データと標識データを更に含む。第一送信モジュール８１はまた、ＴＤサブフレームのダウンリンク・タイムスロットにおいて、無線設備ノードへダウンリンクユーザーデータ、同期データ及び標識データを伝送する。第一受信モジュール８２はまた、ＴＤサブフレームのアップリンク・タイムスロットにおいて、無線設備ノードより伝送されたアップリンクユーザーデータ、同期データと標識データを受信する。
【００３９】
又、１つの実施形態において、制御データは同期データと標識データを更に含む。第一送信モジュール８１はまた、グループ中のワードの最下位ビットにおいて、無線設備ノードへダウンリンク同期データと標識データを伝送し、前記最下位ビットの総数は設定された閾値を越えない。第一受信モジュール８２はまた、グループにおけるワードの最下位ビットにおいて、無線設備ノードより伝送されたアップリンク同期データと標識データを受信し、前記最下位ビットの総数は設定された閾値を越えない。
【００４０】
又、１つの実施形態において、第一送信モジュール８１はまた、グループ中の異なったワードの最下位ビットを順番に選択して無線設備ノードへダウンリンク同期データと標識データを伝送する。第一受信モジュール８２はまた、グループ中の異なったワードの最下位ビットを順番に選択して無線設備ノードより伝送されたアップリンク同期データと標識データを受信する。或いは、第一送信モジュール８１は、グループ中の最下位ワードの最下位ビットにおいて、無線設備ノードへダウンリンク同期データと標識データを伝送し、第一受信モジュール８２は、グループ中の最下位ワードの最下位ビットにおいて、無線設備ノードより伝送されたアップリンク同期データと標識データを受信する。
【００４１】
同様な発明思想に基づき、本発明に係る実施形態が更に提供した、無線設備ノードは、無線設備制御ノードと対話型のデータ交換を行い、交換される対話型データはユーザーデータと制御保守データを含む制御データを有する。構造は図９の示すように、前記無線設備ノードは第二送信モジュール９１と第二受信モジュール９２を含む。そのうち、第二送信モジュール９１はＴＤサブフレームのダウンリンク・タイムスロットにおいて、無線設備制御ノードへアップリンク制御保守データを伝送する。第二受信モジュール９２はＴＤサブフレームのアップリンク・タイムスロットにおいて、無線設備制御ノードより伝送されたダウンリンク制御保守データを受信する。
【００４２】
１つの実施形態には、制御データは同期データと標識データを更に含む。第二送信モジュール９１はまた、ＴＤサブフレームのアップリンク・タイムスロットにおいて、無線設備制御ノードへアップリンクユーザーデータ、同期データと標識データを伝送する。第二受信モジュール９２はまた、ＴＤサブフレームのダウンリンク・タイムスロットにおいて、無線設備制御ノードより伝送されたダウンリンク・ユーザーデータ、同期データと標識データを受信する。
【００４３】
又、１つの実施形態には、制御データは同期データと標識データを含む。第二送信モジュール９１はまた、グループ中のワードの最下位ビットにおいて、無線設備制御ノードへアップリンク同期データと標識データを伝送し、前記最下位ビットの総数は設定された閾値を越えない。第二受信モジュール９２はまた、グループ中のワードの最下位ビットにおいて、無線設備制御ノードより伝送されたダウンリンク同期データと標識データを受信し、前記最下位ビットの総数は設定された閾値を越えない。
【００４４】
更に、１つの実施形態には、第二送信モジュール９１は、グループにおける異なったワードの最下位ビットを順番に選択して無線設備制御ノードへアップリンク同期データと標識データを伝送する。第二受信モジュール９２はまた、グループにおける異なったワードの最下位ビットを順番に選択して無線設備制御ノードより伝送されたダウンリンク同期データと標識データを受信する。或いは、第二送信モジュール９１はまた、グループ中の最下位ワードの最下位ビットにおいて、無線設備制御ノードに対してアップリンク同期データと標識データを伝送し、第二受信モジュール９２はまた、グループ中の最下位ワードの最下位ビットにより、無線設備制御ノードより伝送されたダウンリンク同期データと標識データを受信する。
【００４５】
同様な発明思想に基づき、本発明に係る実施形態が更に提供した無線基地局システムは、構造は図１０の示すように、無線設備制御ノード１０１と無線設備ノード１０２を含む。無線設備制御ノード１０１と無線設備ノード１０２は互いに対話型のデータ交換を行い、交換される対話型データはユーザーデータと制御保守データを含む制御データを有する。無線設備制御ノード１０１はＴＤサブフレームのアップリンク・タイムスロットにおいて、無線設備ノード１０２へダウンリンク制御保守データを伝送し、無線設備ノード１０２はＴＤサブフレームのダウンリンク・タイムスロットにおいて、無線設備制御ノード１０１へアップリンク制御保守データを伝送する。
【００４６】
当業者が理解できるように、上述実施形態の方法における全て又は一部のステップは、プログラムからハードウェアに指示することにより完成でき、当該プログラムは一台のコンピューターの読み取り記憶メディアに保存でき、当該記憶メディアはＲＯＭ、ＲＡＭ、磁気ディスク又はＣＤを含んでも良い。
【００４７】
本発明に係る実施形態において、無線設備制御ノードはＴＤフレームのアップリンク・タイムスロットにおいて、無線設備ノードへダウンリンク制御保守データを伝送するため、ダウンリンク制御保守データの伝送がダウンリンク・タイムスロットを占用しない。ダウンリンク・タイムスロットにおける制御データは制御保守データを含まず、ダウンリンク・タイムスロット全体において非常に少ない一部のビットのみを占める。無線設備ノードはＴＤフレームのダウンリンク・タイムスロットにおいて、無線設備制御ノードへアップリンク制御保守データを伝送するため、アップリンク制御保守データの伝送がアップリンク・タイムスロットを占用しない。アップリンク・タイムスロットにおける制御データは制御保守データを含まず、アップリンク・タイムスロット全体において非常に少ない一部のビットのみを占める。これにより、ユーザーデータの伝送率が大幅に向上され、ユーザーデータにおける各データフローに１６ビットのサンプリングを採用させ、比較的に良い動的範囲を取得できる。また、ＴＤのインテリジェントアンテナ応用シーンにおいて、８アンテナで３搬送波をキャリアし、２４個のデータフローを対応することも保証できるようになる。
【００４８】
もう一方、本発明に係る実施形態において、無線設備制御ノードはＴＤサブフレームのダウンリンク・タイムスロットにおいて、無線設備ノードへユーザーデータ、同期データと標識データを伝送する。無線設備ノードはＴＤサブフレームのアップリンク・タイムスロットにおいて、無線設備制御ノードに対してユーザーデータ、同期データと和標識データを伝送するため、ユーザーデータ品質に影響を与えずにＴＤのインテリジェントアンテナ応用シーンの要求を満足するという前提の元に、同期化とタイミングを実現することを確保する。
【００４９】
本明細書では上述した実施例を参照し本発明を詳しく解説したが、無論、当業者により、上述した技術的な解決手段を改造し、またはその中の一部の技術要素を置換することもできる。そのような改造と置換は本発明の各実施例の技術の範囲から逸脱するとは見なされない。
【手続補正２】
【補正対象書類名】特許請求の範囲
【補正対象項目名】全文
【補正方法】変更
【補正の内容】
【特許請求の範囲】
【請求項１】
ユーザーデータと、制御保守データが含まれる制御データを有する対話型データを無線設備制御ノードと無線設備ノードの間で交換する方法であって、
無線設備制御ノードはＴＤサブフレームのアップリンク・タイムスロットにおいて、無線設備ノードへダウンリンク制御保守データを伝送し、
無線設備ノードはＴＤサブフレームのダウンリンク・タイムスロットにおいて、無線設備制御ノードへアップリンク制御保守データを伝送することを特徴とする無線設備制御ノードと無線設備ノードの間の対話型のデータ交換方法。
【請求項２】
前記制御データは、同期データと標識データを更に含み、
無線設備制御ノードはＴＤサブフレームのダウンリンク・タイムスロットにおいて、無線設備ノードへダウンリンクユーザーデータ、同期データと標識データを伝送し、
無線設備ノードはＴＤサブフレームのアップリンク・タイムスロットにおいて、無線設備制御ノードへアップリンクユーザーデータ、同期データと標識データを伝送することを特徴とする請求項１記載の無線設備制御ノードと無線設備ノードの間の対話型のデータ交換方法。
【請求項３】
前記制御データは同期データと標識データを更に含み、
前記無線設備制御ノードと無線設備ノードは、グループにおけるワードの最下位ビットにおいて、同期データと標識データを交換し、前記最下位ビットの総数は設定された閾値を越えないことを特徴とする請求項１記載の無線設備制御ノードと無線設備ノードの間の対話型のデータ交換方法。
【請求項４】
前記無線設備制御ノードと無線設備ノードはグループにおける異なったワードの最下位ビットを順番に選択して同期データと標識データを交換し、
又は、前記無線設備制御ノードと無線設備ノードはグループにおける最下位ワードの最下位ビットにおいて同期データと標識データを交換することを特徴とする請求項３記載の無線設備制御ノードと無線設備ノードの間の対話型のデータ交換方法。
【請求項５】
ユーザーデータと、制御保守データが含まれる制御データを有する対話型データを無線設備ノードと交換する無線設備制御ノードであって、
ＴＤサブフレームのアップリンク・タイムスロットにおいて、無線設備ノードへダウンリンク制御保守データを伝送する第一送信モジュールと、
ＴＤサブフレームのダウンリンク・タイムスロットにおいて、無線設備ノードより伝送されたアップリンク制御保守データを受信する第一受信モジュールと
を含むことを特徴とする無線設備制御ノード。
【請求項６】
前記制御データは、同期データと標識データを更に含み、
前記第一送信モジュールはまた、ＴＤサブフレームのダウンリンク・タイムスロットにおいて無線設備ノードへダウンリンクユーザーデータ、同期データと標識データを伝送し、
前記第一受信モジュールはまた、ＴＤサブフレームのアップリンク・タイムスロットにおいて、無線設備ノードより伝送されたアップリンクユーザーデータ、同期データと標識データを受信する
ことを特徴とする請求項５記載の無線設備制御ノード。
【請求項７】
前記制御データは同期データと標識データを更に含み、
前記第一送信モジュールはまた、グループにおけるワードの最下位ビットにおいて無線設備ノードへダウンリンク同期データと標識データを伝送し、前記最下位ビットの総数は設定された閾値を越えず、
前記第一受信モジュールはまた、グループにおけるワードの最下位ビットにおいて無線設備ノードより伝送されたアップリンク同期データと標識データを受信し、前記最下位ビットの総数は設定された閾値を越えない
ことを特徴とする請求項５記載の無線設備制御ノード。
【請求項８】
前記第一送信モジュールはまた、グループにおける異なったワードの最下位ビットを順番に選択して無線設備ノードへダウンリンク同期データと標識データを伝送し、
前記第一受信モジュールはまた、グループにおける異なったワードの最下位ビットを順番に選択して無線設備ノードより伝送されたアップリンク同期データと標識データを受信し、
又は、前記第一送信モジュールはまた、グループにおける最下位ワードの最下位ビットにおいて無線設備ノードへダウンリンク同期データと標識データを伝送し、
前記第一受信モジュールは更にグループにおける最下位ワードの最下位ビットにおいて無線設備ノードより伝送されたアップリンク同期データと標識データを受信する
ことを特徴とする請求項７記載の無線設備制御ノード。
【請求項９】
ユーザーデータと、制御保守データが含まれる制御データを有する対話型データを無線設備制御ノードと交換する無線設備ノードであって、
ＴＤサブフレームのダウンリンク・タイムスロットにおいて、無線設備制御ノードへアップリンク制御保守データを伝送する第二送信モジュールと、
ＴＤサブフレームのアップリンク・タイムスロットにおいて、無線設備制御ノードより伝送されたダウンリンク制御保守データを受信する第二受信モジュールと
を含むことを特徴とする無線設備ノード。
【請求項１０】
前記制御データは同期データと標識データを更に含み、
前記第二送信モジュールはまた、ＴＤサブフレームのアップリンク・タイムスロットにおいて、無線設備制御ノードへアップリンクユーザーデータ、同期データと標識データを伝送し、
前記第二受信モジュールはまた、ＴＤサブフレームのダウンリンク・タイムスロットにおいて、無線設備制御ノードより伝送されたダウンリンクユーザーデータ、同期データと標識データを受信する
ことを特徴とする請求項９記載の無線設備ノード。
【請求項１１】
前記制御データは同期データと標識データをさらに含み、
前記第二送信モジュールはまた、グループにおけるワードの最下位ビットにおいて、無線設備制御ノードへアップリンク同期データと標識データを伝送し、前記最下位ビットの総数は設定された閾値を越えず、
前記第二受信モジュールは又、グループにおけるワードの最下位ビットにおいて、無線設備制御ノードより伝送されたダウンリンク同期データと標識データを受信し、前記最下位ビットの総数は設定された閾値を越えない
ことを特徴とする請求項９記載の無線設備ノード。
【請求項１２】
前記第二送信モジュールはまた、グループにおける異なったワードの最下位ビットを順番に選択して無線設備制御ノードへアップリンク同期データと標識データを伝送し、
前記第二受信モジュールはまた、グループにおける異なったワードの最下位ビットを順番に選択して無線設備制御ノードより伝送されたダウンリンク同期データと標識データを受信し、
或いは、前記第二送信モジュールはまた、グループにおける最下位ワードの最下位ビットにおいて、無線設備制御ノードに対してアップリンク同期データと標識データを伝送し、
前記第二受信モジュールはまた、グループにおける最下位ワードの最下位ビットにおいて、無線設備制御ノードより伝送されたダウンリンク同期データと標識データを受信する
ことを特徴とする請求項１１記載の無線設備ノード。
【請求項１３】
ユーザーデータと、制御保守データが含まれる制御データを有する対話型データを線設備制御ノードと無線設備ノードの間で交換する前記無線設備制御ノードと前記無線設備ノードを含む無線基地局システムであって、
前記無線設備制御ノードはＴＤサブフレームのアップリンク・タイムスロットにおいて、無線設備ノードへダウンリンク制御保守データを伝送し、
前記無線設備ノードは、ＴＤサブフレームのダウンリンク・タイムスロットにおいて、無線設備制御ノードへアップリンク制御保守データを伝送する
ことを特徴とする無線基地局システム。
【国際調査報告】
2010539828.tif 000013
2010539828.tif 000014
2010539828.tif 000015
2010539828.tif 000016